(57)【要約】      （修正有）【課題】調理の効率を上げてガスを節約するガスコンロ構造を提供する。【解決手段】ガスコンロ構造は、ガスコンロ、ガスバーナヘッド、圧力感知装置３０及び弾性部材３２を備える。ガスコンロ内には収納空間が設けられ、ガスバーナヘッドは、収納空間内に配設され、複数のバーナノズル２１及び親バーナノズル２２を有する。圧力感知装置はガスバーナヘッドの中心部に設けられ、開閉可能なガス供給管路２３が横方向で連通される。圧力感知装置の中心部には圧力感知棒３１が垂直に配設される。圧力感知棒にはガス通路３１１が横方向で穿設され、ガス通路が圧力感知棒により圧力を受けると、ガス供給管路に位置が合わされて連通し、ガスが供給され、圧力感知棒が圧力を受けないときにガス供給管路が閉じられる。弾性部材は圧力感知棒の底端と圧力感知装置との間に配設される。また、圧力感知棒は、頂面が温度センサ４０と電気的に接続され、鍋の底部に温度に応じてガス供給管路の開閉を制御する。【選択図】図３
0003185987.tif 000002
【実用新案登録請求の範囲】
【請求項１】
ガスコンロ、ガスバーナヘッド、圧力感知装置及び弾性部材を備えたガスコンロ構造であって、
ガスコンロ内には収納空間が設けられ、
ガスバーナヘッドは、ガスコンロの収納空間内に配設され、複数のバーナノズル及び親バーナノズルを有し、
圧力感知装置はガスバーナヘッドの中心部に設けられ、開閉可能なガス供給管路が横方向で連通され、圧力感知装置の中心部には圧力感知棒が垂直に配設され、圧力感知棒にはガス通路が横方向で穿設され、ガス通路が圧力感知棒により圧力を受けると、ガス供給管路に位置が合わされて連通し、ガスが供給され、圧力感知棒が圧力を受けないときにガス供給管路が閉じられ、
弾性部材は、圧力感知棒の底端と圧力感知装置との間に配設され、弾性部材は圧力感知棒を押し、常態下で圧力感知棒が圧力感知装置から突出されることを特徴とするガスコンロ構造。
【請求項２】
圧力感知棒は、頂面が温度センサと電気的に接続され、鍋の底部の温度を測定することを特徴とする請求項１に記載のガスコンロ構造。
【請求項３】
ガスコンロは、表示装置、制御パネル、時間制御装置、信号処理ユニット、制御弁及び手動スイッチを有し、
表示装置、制御パネル、温度センサ、時間制御装置及び制御弁は、信号処理ユニットと電気的に接続され、
制御パネルは、コマンドが入力されると信号処理ユニットへデータを送信し、
温度センサ及び時間制御装置は、コンロの温度及び設定時間を測定して信号処理ユニット及び表示装置へデータを送信し、制御弁によりガス供給管路の開閉を制御し、制御弁が手動スイッチと接続されていることを特徴とする請求項２に記載のガスコンロ構造。
【請求項４】
制御弁は、信号処理ユニットにより制御され、ガス供給管路を開閉することを特徴とする請求項３に記載のガスコンロ構造。
【請求項５】
制御弁は電磁弁を含むことを特徴とする請求項４に記載のガスコンロ構造。
【請求項６】
制御弁はステッピングモータ駆動部材を含むことを特徴とする請求項４に記載のガスコンロ構造。
【請求項７】
圧力感知装置は底部側壁にスライド溝が形成され、
圧力感知棒の底端側面の適宜な箇所には位置決め凸柱が固設され、位置決め凸柱はスライド溝内に相対的に枢着され、摺動可能範囲をスライド溝の頂縁と底縁との間に限定することを特徴とする請求項１に記載のガスコンロ構造。
【請求項８】
圧力感知棒は、頂端が略階段状の凹環状ピン構造を呈し、
圧力感知装置の頂面周縁には、位置決めリングが周設され、凹環状ピンの上下連動位置に位置決めされることを特徴とする請求項１に記載のガスコンロ構造。
【請求項９】
圧力感知棒のガス通路は円孔状の通路であり、ガスが通過する流量を制御することを特徴とする請求項１に記載のガスコンロ構造。
【請求項１０】
圧力感知棒のガス通路は、円環状凹溝の流体通路であり、ガスの流量を制御することを特徴とする請求項１に記載のガスコンロ構造。
【考案の詳細な説明】
【技術分野】
【０００１】
本考案は、ガスコンロ構造に関し、特に、鍋の温度を測定したりコンロの温度制御時間を設定したりし、コンロの火を消したりつけたりすることにより、調理の効率を上げてガスを節約するガスコンロ構造に関する。
【背景技術】
【０００２】
従来、食べ物の調理にはガスコンロが用いられ、事業所で使用するガスコンロは調理の際に頻繁に火をつけたり消したりするが、調理師は、一般に一方の手でスパチュラを持ちながら他方の手で鍋の取手を持たなければならないため、手でガスのスイッチを操作することが困難であった。そのため、食べ物の調理を終了した後、調理師は火を消さずにつけたまま体勢を変えて鍋内にある食べ物をスパチュラにより皿へ移すが、ガスコンロの火が消されずにつけたままとなっているため、ガスが大量に浪費される。ガスコンロの火力は大きいため、ガスの消費速度が速い。そのため、浪費されるコストが多く、継続的に浪費が発生する場合、事業所にとって大きな損失であった。
【０００３】
また、鍋がガスコンロから離されてもガスコンロの火が消されないままとなっているため、換気扇に残っている油に火がついて、換気扇及び換気扇の周りに火災が発生する虞があった。
【０００４】
また、食べ物を調理したり水を沸かしてお湯を作る際、ガスがつかなかったり、お湯又は油が沸騰して溢れた場合、火が消えて適宜制御することができなくなり、火災が発生する虞があった。
【考案の概要】
【考案が解決しようとする課題】
【０００５】
本考案の第１の目的は、鍋がガスコンロから離されるとガスの供給を直ちに停止し、鍋をガスコンロに戻すと直ちに点火されるため、調理だけにガスが用いられて浪費しないガスコンロ構造を提供することにある。
本考案の第２の目的は、温度及び時間を設定し、設定された時間及び温度に達すると制御ユニットによりガスを止め、食べ物の調理を自動的に制御するガスコンロ構造を提供することにある。
本考案の第３の目的は、温度センサにより鍋の底部の温度が上昇していないときや温度が突然低下したときに、制御ユニットによりガスを止めてガスがつかなくなったり、油又はお湯が溢れてガスコンロの火が消えることを自動制御により防ぐガスコンロ構造を提供することにある。
【課題を解決するための手段】
【０００６】
上記課題を解決するために、本考案の第１の形態によれば、ガスコンロ、ガスバーナヘッド、圧力感知装置及び弾性部材を備えたガスコンロ構造であって、ガスコンロ内には収納空間が設けられ、ガスバーナヘッドはガスコンロの収納空間内に配設され、複数のバーナノズル及び親バーナノズルを有し、圧力感知装置はガスバーナヘッドの中心部に設けられ、開閉可能なガス供給管路が横方向で連通され、圧力感知装置の中心部には圧力感知棒が垂直に配設され、圧力感知棒にはガス通路が横方向で穿設され、ガス通路が圧力感知棒により圧力を受けると、ガス供給管路に位置が合わされて連通し、ガスが供給され、圧力感知棒が圧力を受けないときにガス供給管路が閉じられ、弾性部材は圧力感知棒の底端と圧力感知装置との間に配設され、弾性部材は圧力感知棒を押し、常態下で圧力感知棒が圧力感知装置から突出されることを特徴とするガスコンロ構造が提供される。
【０００７】
圧力感知棒は、頂面が温度センサと電気的に接続され、鍋の底部の温度を測定することが好ましい。
【０００８】
ガスコンロは、表示装置、制御パネル、時間制御装置、信号処理ユニット、制御弁及び手動スイッチを有し、表示装置、制御パネル、温度センサ、時間制御装置及び制御弁は、信号処理ユニットと電気的に接続され、制御パネルはコマンドが入力されると信号処理ユニットへデータを送信し、温度センサ及び時間制御装置は、コンロの温度及び設定時間を測定して信号処理ユニット及び表示装置へデータを送信し、制御弁によりガス供給管路の開閉を制御し、制御弁が手動スイッチと接続されていることが好ましい。
【０００９】
制御弁は、信号処理ユニットにより制御され、ガス供給管路を開閉することが好ましい。
【００１０】
制御弁は電磁弁を含むことが好ましい。
【００１１】
制御弁はステッピングモータ駆動部材を含むことが好ましい。
【００１２】
圧力感知装置は底部側壁にスライド溝が形成され、圧力感知棒の底端側面の適宜な箇所には位置決め凸柱が固設され、位置決め凸柱はスライド溝内に相対的に枢着され、摺動可能範囲をスライド溝の頂縁と底縁との間に限定することが好ましい。
【００１３】
圧力感知棒は頂端が略階段状の凹環状ピン構造を呈し、圧力感知装置の頂面周縁には位置決めリングが周設され、凹環状ピンの上下連動位置に位置決めされることが好ましい。
【００１４】
圧力感知棒のガス通路は、円孔状の通路であり、ガスが通過する流量を制御することが好ましい。
【００１５】
圧力感知棒のガス通路は、円環状凹溝の流体通路であり、ガスの流量を制御することが好ましい。
【図面の簡単な説明】
【００１６】
【図１】図１は、本考案の一実施形態に係るガスコンロ構造を示す斜視図である。
【図２】図２は、本考案の第１実施形態に係る圧力センサが作動する前の状態を示す部分拡大図であり、圧力センサ棒が常態下で圧力センサ装置から突出し、ガスの供給が停止された状態を示す。
【図３】図３は、図２の圧力センサが作動した後の状態を示す断面図であり、圧力センサ棒が圧力を受けてガスが供給された状態を示す。
【図４】図４は、図３の部分拡大図である。
【図５】図５は、本考案の第２実施形態に係る圧力センサが作動する前の部分拡大図であり、圧力センサ棒が常態下で圧力センサ装置から突出し、ガスの供給が停止された状態を示す。
【図６】図６は、図５の圧力センサが作動した状態を示す断面図であり、圧力センサ棒が圧力を受けてガスが供給された状態を示す。
【図７】図７は、図６の部分拡大図である。
【図８】図８は、本考案の第３実施形態に係るガスコンロ構造の圧力センサを示す斜視図である。
【図９】図９は、本考案の第３実施形態に係る圧力センサが作動する前の状態を示す部分拡大図であり、圧力センサ棒が常態下で圧力センサ装置から突出し、ガスの供給が停止された状態を示す。
【図１０】図１０は、図９の断面斜視図である。
【図１１】図１１は、図９の圧力センサが作動した状態を示す断面図であり、圧力センサ棒が圧力を受けてガスが供給された状態を示す。
【図１２】図１２は、図１１の部分拡大図である。
【図１３】図１３は、図１１の線Ａ−Ａに沿った断面図である。
【図１４】図１４は、図１１の部分拡大図である。
【図１５】図１５は、本考案の第３実施形態に係るガスコンロ構造を示すシステム構成図である。
【考案を実施するための形態】
【００１７】
以下、本考案の実施形態について図に基づいて説明する。なお、これによって本考案が限定されるものではない。
【００１８】
本考案の一実施形態に係るガスコンロ構造は、ガスコンロ１０中にガスバーナヘッド２０が取り付けられ、ガスバーナヘッド２０の中心部に圧力感知装置３０が垂直に配設され、圧力感知装置３０内には弾性部材３２が取り付けられている。
【００１９】
ガスコンロ１０内には、ガスバーナヘッド２０を収納する収納空間１１が設けられ、ガスコンロ１０の外カバーには表示装置１２及び制御パネル１３が設けられている。表示装置１２により設定時間及びコンロの温度を表示し、ユーザが都合良く制御パネル１３によりコンロの温度及び使用時間を予め設定し、ガスコンロ１０の使用状態が観察できるようにする。
【００２０】
ガスバーナヘッド２０は、複数のバーナノズル２１及び親バーナノズル２２を有し、ガスコンロ１０の収納空間１１内に配設される。
【００２１】
ガスバーナヘッド２０の中心部には圧力感知装置３０が設けられる。圧力感知装置３０には開閉可能なガス供給管路２３が横方向に連通され、圧力感知装置３０の中心部には圧力感知棒３１が垂直に配設され、圧力感知棒３１の底端と圧力感知装置３０との間には弾性部材３２が配設される。弾性部材３２は、圧力感知棒３１を押して圧力感知棒３１の頂端面が常態下で圧力感知装置３０から突出される。圧力感知棒３１は横方向にガス通路３１１に貫設され、ガス通路３１１が圧力感知棒３１により上から下方向へかけて圧力を受けると（図３参照）、ガス供給管路２３に位置合わせされて連通し、ガスを供給する。圧力感知棒３１が上から下方向へかけて圧力を受けないときは（図２参照）、ガス供給管路２３が閉じられる。ガス通路３１１は、円孔状又は円環状凹溝を有する流体通路であり、ガスの流量を制御する。ガス通路３１１の内径はガス供給管路２３の内径と同じである。
【００２２】
圧力感知棒３１の頂面は温度センサ４０と電気的に接続される。ガスコンロ１０上には、電気的に接続されて配設された時間制御装置６０、信号処理ユニット５０及び制御弁８０を有する。表示装置１２、制御パネル１３、温度センサ４０、時間制御装置６０及び制御弁８０は、信号処理ユニット５０と電気的に接続される。制御パネル１３は、信号処理ユニット５０へ送信するコマンドを入力するために用いる。温度センサ４０及び時間制御装置６０は、コンロの温度及び設定時間を検出し、データを信号処理ユニット５０へ送信する。制御弁８０はガス供給管路２３の開閉を制御する。制御弁８０は、手動スイッチ２４に接続され、状況に応じて手作業により制御することができる。
【００２３】
上述の構成により、ガスコンロ１０を使用する過程では、親バーナノズル２２は常態下で常に燃焼される親バーナーであり、鍋７０がガスコンロ１０に置かれると（図３参照）、鍋７０の底部７１が上から下方向へかけて圧力感知棒３１に圧接され、ガス供給管路２３を流通させてガスコンロ１０により食べ物を調理し、ガスコンロ１０から鍋７０が離されると（図５参照）、ガス供給管路２３が閉じられてガス供給が止められ、メインバーナーだけが燃焼し続け、調理するときだけガスバーナヘッド２０が燃焼するように火を調整する。
【００２４】
本考案の一実施形態に係るガスコンロ構造のシステム制御部分に関しては、信号処理ユニット５０が時間制御装置６０及び温度センサ４０と電気的に接続され、制御弁８０を起動してガス供給管路２３の開閉を制御する。前述の制御弁８０は、電磁弁又はステッピングモータ駆動部材である。制御パネル１３により予めバーナーの温度及び使用時間を設定し、信号処理ユニット５０が設定内容に基づいて制御弁８０を起動させる。制御弁８０は、ガス供給管路２３の弁体の開閉を制御するために用いる。
【００２５】
続いて、温度センサ４０が検出した温度が予め設定した温度より高いとき、信号処理ユニット５０の電子回路により制御弁８０を起動し、制御弁８０によりガス供給を止めてコンロが無駄に燃焼されることを防いでもよい。また、ガスを開いた後に温度が上昇しなかったり、コンロの温度が突然下がるとき、信号処理ユニット５０の電子回路により制御弁８０を起動し、制御弁８０によりガス供給を止めることにより、ガスが燃焼されなくなったり、油又はお湯が溢れてコンロの火が消えて安全が脅かされることを防ぐ。
【００２６】
（第１実施形態）
図２〜図４を参照する。図２〜図４に示すように、本考案の第１実施形態に係るガスコンロ構造の圧力感知装置３０は、底部側壁にスライド溝３４が形成され、圧力感知棒３１の底端側面の適宜な箇所に位置決め凸柱３３が固設されている。位置決め凸柱３３が枢着されてスライド溝３４内で摺動可能な上下位置が決められ、摺動可能範囲がスライド溝３４の頂縁と底縁との間に限定されるため、圧力感知棒３１の摺動可能な上下位置を決める。圧力感知棒３１の頂端面が常態下で圧力感知装置３０から突出されているとき、位置決め凸柱３３がスライド溝３４の先端縁に圧接され、ガス供給管路２３を閉じてガスの供給を止める（図２参照）。続いて、圧力感知棒３１が上から下方向へかけて圧力を受けると、位置決め凸柱３３がスライド溝３４の底縁に圧接され、ガス通路３１１が位置合わせされてガス供給管路２３と連通し、ガスが供給される状態となる（図３参照）。
【００２７】
（第２実施形態）
図５〜図７を参照する。図５〜図７に示すように、本考案の第２実施形態に係るガスコンロ構造の圧力感知装置３０の圧力感知棒３１は、頂端が略階段状の凹環状ピン３１２構造を呈し、圧力感知装置３０の頂面周縁には、位置決めリング３５が周設され、凹環状ピン３１２の上下連動位置に位置決めされる。圧力感知棒３１が常態下で圧力感知装置３０から突出されているとき、圧力感知棒３１の凹環状ピン３１２が位置決めリング３５に当接されて位置決めされ、ガス供給管路２３を閉じてガスの供給を止める（図５参照）。続いて、圧力感知棒３１が上から下方向へかけて圧力を受けると、圧力感知棒３１の凹環状ピン３１２が位置決めリング３５に沿って案内され、上から下方向へかけて作動し、ガス通路３１１がガス供給管路２３に位置合わせされ、ガスが供給される状態となる（図６参照）。
【００２８】
（第３実施形態）
図８〜図１４を参照する。図８〜図１４に示すように、本考案の第３実施形態に係るガスコンロ構造の圧力感知装置３０は、圧力感知棒３１のガス通路３１１Ａが略円環状凹溝を呈し（図８参照）、圧力感知棒３１の頂端面が常態下で圧力感知装置３０から突出されているとき、ガス供給管路２３を閉じてガスの供給を止める（図９参照）。続いて、圧力感知棒３１が上から下方向へかけて圧力を受けると（図１１参照）、ガス通路３１１Ａがガス供給管路２３に位置合わせされ、ガスが供給可能な状態となる。
【００２９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３０】
１０      ガスコンロ
１１      収納空間
１２      表示装置
１３      制御パネル
２０      ガスバーナヘッド
２１      バーナノズル
２２      親バーナノズル
２３      ガス供給管路
２４      手動スイッチ
３０      圧力感知装置
３１      圧力感知棒
３２      弾性部材
３３      位置決め凸柱
３４      スライド溝
３５      位置決めリング
４０      温度センサ
５０      信号処理ユニット
６０      時間制御装置
７０      鍋
７１      底部
８０      制御弁
３１１    ガス通路
３１１Ａ  ガス通路
３１２    凹環状ピン
【図１】
0003185987.tif 000003
【図２】
0003185987.tif 000004
【図３】
0003185987.tif 000005
【図４】
0003185987.tif 000006
【図５】
0003185987.tif 000007
【図６】
0003185987.tif 000008
【図７】
0003185987.tif 000009
【図８】
0003185987.tif 000010
【図９】
0003185987.tif 000011
【図１０】
0003185987.tif 000012
【図１１】
0003185987.tif 000013
【図１２】
0003185987.tif 000014
【図１３】
0003185987.tif 000015
【図１４】
0003185987.tif 000016
【図１５】
0003185987.tif 000017